(57)【要約】【課題】  ２部品で構成されたヘルムホルツ共鳴器を備える画像形成装置において、コストを大きくあげることなく画像形成装置から発生する音を低減することを目的とする。【解決手段】  装置本体１００Ａに対して回動中心を中心として開閉可能に設けられたガイド１０７ａと、ガイド１０７ａが装置本体１００Ａに対して閉じられた場合に、ガイド１０７ａと対向する位置に設けられたガイドカバー７０とを備える。ガイド１０７ａにヘルムホルツ部材２００ａを設け、ガイドカバー７０にヘルムホルツ部材２００ｂを設ける。右面開閉扉９２を閉じることで、ガイド１０７ａを装置本体１００Ａに対して閉じた位置に固定した場合、ヘルムホルツ部材２００ａとヘルムホルツ部材２００ｂとによりヘルムホルツ共鳴器２００が構成される。【選択図】  図１
2019086633.tif 000002
【特許請求の範囲】
【請求項１】
シートに画像を形成する画像形成部と、
装置本体に対して開閉可能に設けられ、前記装置本体に対して開かれた場合に前記シートの搬送路又は画像形成部にアクセスを可能にする開閉部材と、
前記開閉部材が前記装置本体に対して閉じられた場合に、前記開閉部材と対向する位置に設けられた対向部材と、
前記開閉部材に設けられる第１のヘルムホルツ部と、
前記対向部材に設けられる第２のヘルムホルツ部と、
前記開閉部材を前記装置本体に対して閉じた位置に固定するための固定手段と、を備え、
前記固定手段により前記開閉部材が前記装置本体に対して閉じられた場合に、前記第１のヘルムホルツ部と前記第２のヘルムホルツ部とによりヘルムホルツ共鳴器が構成されることを特徴とする画像形成装置。
【請求項２】
シートに画像を形成する画像形成部と、
装置本体に対して回動中心を中心として開閉可能に設けられた開閉部材と、
前記開閉部材が前記装置本体に対して閉じられた場合に、前記開閉部材と対向する位置に設けられた対向部材と、
前記開閉部材に設けられる第１のヘルムホルツ部と、
前記対向部材に設けられる第２のヘルムホルツ部と、
前記開閉部材を前記装置本体に対して閉じた位置に固定するための固定手段と、を備え、
前記固定手段により前記開閉部材が前記装置本体に対して閉じられた場合に、前記第１のヘルムホルツ部と前記第２のヘルムホルツ部とによりヘルムホルツ共鳴器が構成されることを特徴とする画像形成装置。
【請求項３】
前記第１のヘルムホルツ部は第１の突き当て部を備え、
前記第２のヘルムホルツ部は第２の突き当て部を備え、
前記固定手段により前記開閉部材が前記装置本体に対して閉じられた場合に、前記第１の突き当て部と前記第２の突き当て部が当接してヘルムホルツ共鳴器が構成されることを特徴とする請求項１又は２に記載の画像形成装置。
【請求項４】
前記ヘルムホルツ共鳴器が構成される場合において、
前記第１のヘルムホルツ部と前記第２のヘルムホルツ部の位置を決めるための位置決め部を、前記開閉部材、又は前記対向部材の少なくとも一方が有することを特徴とする請求項１乃至３のいずれか１項に記載の画像形成装置。
【請求項５】
前記第１のヘルムホルツ部と前記第２のヘルムホルツ部とによりヘルムホルツ共鳴器が構成された場合において、
前記前記第１のヘルムホルツ部と前記第２のヘルムホルツ部の一方は、前記第１のヘルムホルツ部と前記第２のヘルムホルツ部との密閉をするための密閉部材を備え、
前記前記第１のヘルムホルツ部と前記第２のヘルムホルツ部の他方は、前記密閉部材と接触する接触部を有することを特徴とする請求項１乃至４のいずれか１項に記載の画像形成装置。
【請求項６】
前記第１のヘルムホルツ部と前記第２のヘルムホルツ部とによりヘルムホルツ共鳴器が構成された場合において、
前記密閉部材と前記接触部の接触面は、前記接触部の押圧方向に対して垂直ではないことを特徴とする請求項５に記載の画像形成装置。
【請求項７】
前記第１のヘルムホルツ部と前記第２のヘルムホルツ部とによりヘルムホルツ共鳴器が構成された場合において、
前記密閉部材と前記接触部の接触面と、前記接触部の押圧方向とがなす角度αが、０°＜Ｘ＜９０°となる部分を少なくとも有することを特徴とする請求項５又は６に記載の画像形成装置。
【請求項８】
前記第１のヘルムホルツ部と前記第２のヘルムホルツ部とによりヘルムホルツ共鳴器が構成される前の状態における前記密閉部材の表面と、前記接触部の押圧方向は垂直ではないことを特徴とする請求項５乃至７のいずれか１項に記載の画像形成装置。
【請求項９】
前記第１のヘルムホルツ部の首部と前記第２のヘルムホルツ部の首部は各々半円筒となるように分割されることを特徴とする請求項１乃至８のいずれか１項に記載の画像形成装置。
【請求項１０】
前記第１のヘルムホルツ部は前記開閉部材と一つの部材として構成され、前記第２のヘルムホルツ部は、前記対向部材と一つの部材として構成されることを特徴とする請求項８に記載の画像形成装置。
【請求項１１】
前記対向部材は、回動中心を中心に回動可能に設けられることを特徴とする請求項１乃至１０のいずれか１項に記載の画像形成装置。
【請求項１２】
前記開閉部材の回動中心は、前記対向部材の回動中心に対して、前記開閉部材の回動中心と垂直な方向において異なる位置に配置されることを特徴とする請求項１１に記載の画像形成装置。
【発明の詳細な説明】
【技術分野】
【０００１】
本発明は、ヘルムホルツ共鳴器を備える画像形成装置に関する。
【背景技術】
【０００２】
複写機、プリンタ等の画像形成装置においては、画像形成動作時にモータ、ファンなどが稼働する稼働音が発生する。近年、画像形成装置に対して静音化が強く求められるようになってきている。画像形成装置の稼働音を低減する構成として、ヘルムホルツ共鳴器２００を内蔵した画像形成装置が提案されている（特許文献１）。
【先行技術文献】
【特許文献】
【０００３】
【特許文献１】特開２０１５−１６９８６４号公報
【発明の概要】
【発明が解決しようとする課題】
【０００４】
しかしながら、上述した従来のヘルムホルツ共鳴器２００においては、以下に示すような課題がある。
【０００５】
特許文献１における提案では、ヘルムホルツ共鳴器を吸音本体部材と吸音カバー部材の２部品により構成し、当該２部品の間に密閉部材を挟んだ後、カバー固定ねじで固定して構成している。このように従来技術では、ヘルムホルツ共鳴器を構成するためのカバー固定ねじのような締結部品が必要となり、コストが高くなってしまうという課題がある。
【０００６】
そこで、２部品で構成されたヘルムホルツ共鳴器を備える画像形成装置において、コストを大きくあげることなく画像形成装置から発生する音を低減することを目的とするものである。
【課題を解決するための手段】
【０００７】
上記目的を達成するための画像形成装置の一態様は、シートに画像を形成する画像形成部と、装置本体に対して開閉可能に設けられ、前記装置本体に対して開かれた場合に前記シートの搬送路又は画像形成部にアクセス可能にする開閉部材と、前記開閉部材が前記装置本体に対して閉じられた場合に、前記開閉部材と対向する位置に設けられた対向部材と、前記開閉部材に設けられる第１のヘルムホルツ部と、前記対向部材に設けられる第２のヘルムホルツ部と、前記開閉部材を前記装置本体に対して閉じた位置に固定するための固定手段と、を備え、前記固定手段により前記開閉部材が前記装置本体に対して閉じられた場合に、前記第１のヘルムホルツ部と前記第２のヘルムホルツ部とによりヘルムホルツ共鳴器が構成されることを特徴とする。
【発明の効果】
【０００８】
本発明によれば、２部品で構成されたヘルムホルツ共鳴器を備える画像形成装置において、コストを大きくあげることなく画像形成装置から発生する音を低減することができる。
【図面の簡単な説明】
【０００９】
【図１】（ａ）第１の実施形態に係るヘルムホルツ共鳴器の斜視図、（ｂ）第１の実施形態に係るヘルムホルツ共鳴器の斜視図、（ｃ）第１の実施形態に係るヘルムホルツ共鳴器の側面図
【図２】第１の実施形態に係るヘルムホルツ共鳴器を備えた画像形成装置の概略構成図
【図３】（ａ）第１の実施形態に係るヘルムホルツ部材２００ａの全体斜視図、（ｂ）第１の実施形態に係るヘルムホルツ部材２００ａの要部の拡大斜視図
【図４】（ａ）第１の実施形態に係るヘルムホルツ部材２００ｂの全体斜視図、（ｂ）第１の実施形態に係るヘルムホルツ部材２００ｂの要部の拡大斜視図
【図５】（ａ）第１の実施形態に係るヘルムホルツ部材接触部位の概略断面拡大図、（ｂ）第１の実施形態に係るヘルムホルツ部材接触部位の概略断面拡大図（別例）、（ｃ）第１の実施形態に係るヘルムホルツ部材接触部位の概略断面拡大図（別例）
【図６】（ａ）〜（ｄ）第１の実施形態に係るヘルムホルツ押し当て部形状の変形例を示す概略断面図
【図７】（ａ）〜（ｄ）第１の実施形態に係るヘルムホルツ突き当て部形状の変形例を示す概略断面図
【図８】第１の実施形態に係る排紙部及びシート反転部近傍の断面模式図
【図９】第１の実施形態に係る排紙部及びシート反転部近傍部位開閉を示す図
【図１０】（ａ）第１の実施形態に係るパスガイドとガイドカバーの回動軸の高さが異なる場合の図、（ｂ）第１の実施形態に係るパスガイドとガイドカバーの回動軸の高さが異なる場合の図
【図１１】（ａ）第１の実施形態に係るパスガイドとガイドカバーにヘルムホルツ部材をそれぞれ設けた構成を示す図、（ｂ）ヘルムホルツ共鳴器を一体でガイドカバーに固定した構成を示す図、（ｃ）ヘルムホルツ共鳴器を一体でパスガイドに固定した構成を示す図
【図１２】（ａ）第１の実施形態に係る、前面開閉カバーにヘルムホルツ共鳴器を設けた構成を示す概略構成図、（ｂ）第１の実施形態に係る、手差しトレイにヘルムホルツ共鳴器を設けた構成を示す概略構成図、（ｃ）第１の実施形態に係る、右面下方開閉扉にヘルムホルツ共鳴器を設けた構成を示す概略構成図
【図１３】第２の実施形態に係るヘルムホルツ部材接触部位の概略断面図
【図１４】（ａ）第３の実施形態に係るヘルムホルツ共鳴器の斜視図、（ｂ）第３の実施形態に係るヘルムホルツ共鳴器の側面図
【図１５】ヘルムホルツ共鳴器の模式図
【発明を実施するための形態】
【００１０】
以下、本発明を実施するための最良の形態について、図面を参照して詳しく説明する。尚、以下の実施の形態は特許請求の範囲に係る発明を限定するものではなく、後述する画像形成装置においても一例として電子写真式プロセスを有するものを説明しているにすぎない。
【実施例１】
【００１１】
本発明の第１の実施の形態について図１から図１２により説明する。
【００１２】
［画像形成装置の構成・動作］
図２は、本発明の実施の形態に係る画像形成装置の概略構成を示す図である。
【００１３】
図２において、画像形成装置１００は、画像形成装置本体１００Ａ（以下、装置本体という）と、装置本体１００Ａの上部に設けられた画像読取部４１を備える。画像読取部４１は、原稿載置台としてのプラテンガラスに載置された原稿に光を照射し、反射光をデジタル信号に変換するイメージセンサ等を有する。なお、画像を読み取るための原稿は、自動原稿給送装置４１ａによりプラテンガラス上に搬送される。また、装置本体１００Ａには、画像形成部５５と、画像形成部５５にシートＳを給送するシート給送装置５１，５２と、シートＳを反転させて画像形成部５５へ搬送するシート反転部５９が設けられている。
【００１４】
画像形成部５５は、イエロー（Ｙ）、マゼンタ（Ｍ）、シアン（Ｃ）及びブラック（Ｂｋ）の４色のトナー画像を形成するための画像形成部を備える。以下、各画像形成部の構成要素を区別する場合には付番の後にｙ，ｍ，ｃ，ｋを付加する。なお、区別しない場合には、ｙ，ｍ，ｃ，ｋの記載を省略する。
【００１５】
画像形成部５５は、露光ユニット４２と、４つの感光ドラムカートリッジ４３（４３ｙ，４３ｍ，４３ｃ，４３ｋ）と４つの現像カートリッジ４４（４４ｙ，４４ｍ，４４ｃ，４４ｋ）を備えている。また、画像形成部５５は、感光ドラムカートリッジ４３、ならびに現像カートリッジ４４の上方に配された中間転写ユニット４５、２次転写部５６、定着部５７を備えている。
【００１６】
ここで、感光ドラムカートリッジ４３は、感光ドラム２１（２１ｙ，２１ｍ，２１ｃ，２１ｋ）と、帯電ローラ２２（２２ｙ，２２ｍ，２２ｃ，２２ｋ）と、ドラムクリーニングブレード２３（２３ｙ，２３ｍ，２３ｃ，２３ｋ）を備えている。感光ドラム２１は、図２において時計方向に回転可能に構成されている。また、感光ドラムカートリッジ４３は装置本体１００Ａから着脱可能な構成となっている。感光ドラムカートリッジ４３は、装置本体１００Ａに備え付けられているドラムカートリッジ支持部材４６（４６ｙ、４６ｍ、４６ｃ、４６ｋ）により、装置本体１００Ａの内部において支持される。感光ドラムカートリッジ４３は、図２の紙面の手前方向に抜きだし可能となっており、図２の紙面の奥方向に装着可能となっている。
【００１７】
なお、本実施の形態の画像形成部５５においては、感光ドラムカートリッジ４３とドラムカートリッジ支持部材４６によって、ヘルムホルツ共鳴器２００が構成されている。詳細は後述する。
【００１８】
現像カートリッジ４４は、現像ローラ２４（２４ｙ，２４ｍ，２４ｃ，２４ｋ）を備えている。また、現像カートリッジ４４は装置本体１００Ａから挿抜可能な構成となっており、装置本体１００Ａに備え付けられている現像カートリッジ支持部材４７（４７ｙ、４７ｍ、４７ｃ、４７ｋ）によって支持されている。
【００１９】
中間転写ユニット４５は、ベルト駆動ローラ２６、２次転写内ローラ５６ａ等に張架されている中間転写ベルト２５と、感光ドラム２１に対向した位置で中間転写ベルト２５に当接する１次転写ローラ２７（２７ｙ，２７ｍ，２７ｃ，２７ｋ）を備えている。そして、後述するように、中間転写ベルト２５に１次転写ローラ２７によって正極性の転写バイアスを印加することにより、感光ドラム２１上の負極性を持つトナー像が順次中間転写ベルト２５に多重転写される。これにより、中間転写ベルト２５上にはフルカラー画像が形成される。
【００２０】
２次転写部５６は、２次転写内ローラ５６ａと、２次転写内ローラ５６ａと中間転写ベルト２５を介して接する２次転写外ローラ５６ｂとにより構成される。そして、後述するように２次転写外ローラ５６ｂに正極性の二次転写バイアスを印加することによって中間転写ベルト２５上に形成されたフルカラー画像をシートＳに転写する。
【００２１】
定着部５７は、定着ローラ５７ａと定着バックアップローラ５７ｂを備えている。そして、定着ローラ５７ａと定着バックアップローラ５７ｂとの間をシートＳが挟持搬送されることにより、シートＳ上のトナー像は加圧、加熱されてシートＳに定着される。
【００２２】
シート給送装置５１，５２は、それぞれシートＳを収納する収納手段であるカセット５１ａ，５２ａを備える。また、カセット５１ａ，５２ａに収納されたシートＳを摩擦力により分離しながら１枚ずつ給送する機能を有するシート分離給送部５１ｂ，５２ｂを備えている。
【００２３】
なお、図２において、２次転写前搬送パス１０３は、カセット５１ａ，５２ａから給送されたシートＳを２次転写部５６まで搬送するパスである。定着前搬送パス１０４は２次転写部５６まで搬送されたシートＳを２次転写部５６から定着部５７まで搬送するパスである。定着後搬送パス１０５は、定着部５７まで搬送されたシートＳを定着部５７から切換部材６１まで搬送するパスである。排紙パス１０６は、切換部材６１まで搬送されたシートＳを切換部材６１から排紙部５８まで搬送するパスである。再搬送パス１０７は、画像形成部５５により片面に画像が形成されたシートＳの裏面に画像を形成するため、シート反転部５９により反転されたシートＳを再び画像形成部５５へ搬送するパスである。
【００２４】
次に、このような構成の画像形成装置１００の画像形成動作について説明する。画像形成動作が開始されると、まず不図示のパソコン等からの画像情報に基づき露光ユニット４２は感光ドラム２１の表面に向けてレーザー光を照射する。このとき、感光ドラム２１の表面は、帯電ローラ２２によって所定の極性・電位に一様に帯電されており、レーザー光を照射すると、レーザー光が照射された部位の電荷が減衰することによって感光ドラム表面に静電潜像が形成される。
【００２５】
この後、現像ローラ２４に所定の電位を印加し、現像ローラ２４からそれぞれイエロー（Ｙ）、マゼンタ（Ｍ）、シアン（Ｃ）及びブラック（Ｂｋ）のトナーを供給することによって、静電潜像をトナー像として現像する。そして、この各色トナー像を１次転写ローラ２７にそれぞれ印加した１次転写バイアスにより、順次中間転写ベルト２５に転写することにより、中間転写ベルト２５上にフルカラートナー画像が形成される。
【００２６】
一方で、このトナー画像形成動作に並行して、シート給送装置５１，５２は、シート吸着分離給送部５１ｂ，５２ｂによりカセット５１ａ，５２ａから１枚のシートＳのみを分離給送する。この後、シートＳは引き抜きローラ対５１ｃ，５１ｄに到達する。さらに、引き抜きローラ対５１ｃ，５１ｄに挟持されたシートＳは、シート厚検出手段５３によるシート厚検出を経て搬送パス１０３に送り込まれ、停止しているレジストレーションローラ対６２ａ，６２ｂに当接することにより先端の位置が調整される。
【００２７】
次に、２次転写部５６において、中間転写ベルト上のフルカラートナー像とシートＳの位置とを一致させるタイミングでレジストレーションローラ対６２ａ，６２ｂが駆動される。これにより、シートＳは２次転写部５６まで搬送され、２次転写部５６にて、２次転写外ローラ５６ｂに印加した２次転写バイアスにより、フルカラートナー像がシートＳ上に一括して転写される。
【００２８】
フルカラートナー像が転写されたシートＳは、定着部５７に搬送され、この定着部５７において熱及び圧力を受けて各色のトナーが溶融混色し、シートＳにフルカラーの画像として定着される。この後、画像が定着されたシートＳは、定着部５７の下流に設けられた排紙部５８によって排紙される。なお、シートの両面に画像を形成する際は、シートＳの搬送方向をシート反転部５９にて反転させて、シートＳを再び画像形成部５５へ搬送する。
【００２９】
次に、図１５を用いて、本発明の画像形成装置１００が備えるヘルムホルツ共鳴器２００の構造を説明する。図１５はヘルムホルツ共鳴器２００の模式図である。
【００３０】
ヘルムホルツ共鳴器２００は、大別して、容積Ｖの空間をもつ空洞部２０１と、空洞部２０１から長さＬだけ伸び、断面積Ｓの開口を有する連通部２０２を備えている。連通部２０２内の空気の質量が、空洞部２０１の空間が形成する空気ばねによって振動し共鳴することによって、連通部２０２に入ってくる音の特定周波数ｆを消音する。消音する特定周波数ｆは（１）式で表される。
【００３１】
【数１】
2019086633.tif 000003
【００３２】
ここで、ｃ：音速、ΔＬ：開口端補正であり、ΔＬは、１．６ａ（ａは連通部２０２の断面を円形とした場合の半径）である。
【００３３】
したがって、消音したい音の周波数と（１）式の特定周波数ｆが一致するように、ヘルムホルツ共鳴器２００のパラメータを決定する。
【００３４】
［第１の実施形態］
次に、図１及び図３乃至図１２を参照して、本発明の第１の実施形態を説明する。要部である消音装置の第１の実施形態について説明する。
【００３５】
本実施形態におけるヘルムホルツ共鳴器２００は、第１のヘルムホルツ部の一例であるヘルムホルツ部材２００ａと第２のヘルムホルツ部の一例であるヘルムホルツ部材２００ｂとの２部品を含む。
【００３６】
図３（ａ）は、ヘルムホルツ共鳴器２００を構成するヘルムホルツ部材２００ａを示す斜視図である。図３（ｂ）は、連通部２０２ａの拡大図である。ヘルムホルツ部材２００ａは空洞部２０１ａ及び連通部２０２ａの周囲を、連通部２０２ａの一部を除いて、接触部の一例である押し当て部２０６で取り囲んでいる。図３（ｂ）に示すように押し当て部２０６は突き当て部２０７ａに対して突き出る形となっている。押し当て部２０６の先端は鋭利な形状ではなく、半径０．１ｍｍの小さな丸みを帯びている。図３（ａ）に示すようにヘルムホルツ部材２００ａはヘルムホルツ共鳴器２００を構成するために押し出しピン状の左位置決め部２０８、右位置決め部２０９を有している。
【００３７】
図４（ａ）は、ヘルムホルツ共鳴器２００を構成するヘルムホルツ部材２００ｂを示す斜視図である。図４（ｂ）は、連通部２０２ｂの拡大図である。ヘルムホルツ部材２００ｂは、空洞部２０１ｂ及び連通部２０２ｂの周囲に、連通部２０２ｂの一部を除いて、取り囲むように溝２６１が設けられている。溝２６１の内側には、溝２６１からはみ出ないようにゴム部材の密閉部材２６０が両面テープで固定されている。なお、密閉部材２６０はゴム部材に限ったものではなく、圧縮時に空気を連通させない部材であればスポンジ等の多孔質物質でもその他弾性部材でも構わない。また、固定方法も両面テープに限ったものでなく、接着剤等でもよい。図４（ａ）に示すように、ヘルムホルツ部材２００ｂは左位置決め穴２１０、右位置決め穴２１１を有している。
【００３８】
ヘルムホルツ部材２００ａの左位置決め部２０８、右位置決め部２０９は、ヘルムホルツ部材２００ｂの左位置決め穴２１０、右位置決め穴２１１に各々差し込まれる。また、ヘルムホルツ部材２００ａの突き当て部２０７ａは、ヘルムホルツ部材２００ｂの突き当て部２０７ｂに接触する。このようにヘルムホルツ部材２００ａとヘルムホルツ部材２００ｂが接触固定されることで、ヘルムホルツ共鳴器２００が構成される。左位置決め穴２１０の周囲は、左位置決め部２０８を左位置決め穴２１０に誘導するためにすり鉢状の形状をしている。同様に、右位置決め穴２１１の周囲は、右位置決め部２０９を右位置決め穴２１１に誘導するためにすり鉢状の形状をしている。上記接触固定においてヘルムホルツ部材２００ａの押し当て部２０６により、ヘルムホルツ部材２００ｂの密閉部材２６０が密着押し込みされる。また、接触固定においてヘルムホルツ部材２００ａの空洞部２０１ａとヘルムホルツ部材２００ｂの空洞部２０１ｂによりヘルムホルツ共鳴器２００の空洞部２０１が構成される。同様に、ヘルムホルツ部材２００ａの連通部２０２ａとヘルムホルツ部材２００ｂの連通部２０２ｂによりヘルムホルツ共鳴器２００の連通部２０２が構成される。なお、本実施形態では、押し当て部２０６をヘルムホルツ部材２００ａに設け、密閉部材２６０をヘルムホルツ部材２００ｂに設ける構成にしているがこれに限られるものではない。ヘルムホルツ部材２００ａとヘルムホルツ部材２００ｂの一方に押し当て部２０６を設け、他方に密閉部材２６０を設ける構成であればよい。
【００３９】
一般にヘルムホルツ共鳴器２００は樹脂材料による成形により製造されている。ヘルムホルツ部材２００ａ、２００ｂの連通部２０２ａ、２０２ｂを形成する首部は各々樹脂成形性の観点から半円筒となっている。
【００４０】
図５（ａ）、（ｂ）、（ｃ）はヘルムホルツ部材２００の構成時のヘルムホルツ部材２００ａの接触部の一例である押し当て部２０６によるヘルムホルツ部材２００ｂの密閉部材２６０の接触押し込みの様子を表した断面図である。図５（ａ）の構成では、押し当て部２０６と密閉部材２６０との接触部位における、接触面２７０の法線方向と押圧方向Ｐの角度αは、６０°の角度を有している。言い換えれば、接触面２７０と押圧方向Ｐは垂直な方向となっていない。このように角度αが０°より大きく９０°未満の角度を有する領域を含めることで、図５（ｂ）のような角度αが０°、９０°の場合よりも、接触押し込みによる密閉部材２６０からの押圧方向への反力が小さくなるので好ましい。角度αが０°より大きく９０°未満の角度を有する領域を含めることで、密閉部材２６０の弾性が大きくてもヘルムホルツ部材２００ａ、２００ｂの突き当て部２０７ａ、２０７ｂが離れることなく密閉部材２６０を押圧することができる。また、ヘルムホルツ共鳴器２００の空洞部２０１、連通部２０２の形状を一定に保つことができ、消音対象周波数を保つことができる。
【００４１】
図５（ｃ）の構成は、ヘルムホルツ部材２００ａ、２００ｂとによりヘルムホルツ共鳴器２００が構成される前の状態における、密閉部材２６０の面（仮想線Ｘで示す）と、押し当て部２０６の押圧方向Ｐは垂直となっていない。このようにすることで、押し当て部２０６が、密閉部材２６０から受ける反力と押圧方向Ｐとが異なる方向になるので好ましい。
【００４２】
押し当て部２０６の形状はこれに限ったものでなく、図６（ａ）、図６（ｂ）、図６（ｃ）で示すような先が円形状や多角形状であったり、図６（ｄ）で示すような複数の押し当て部２０６ａ、２０６ｂ、２０６ｃを有していたりしても構わない。さらに、突き当て部２０７ａ、２０７ｂの形状も平面に限ったものでなく、図７（ａ）で示すようなヘルムホルツ部材２００ｂ側に溝を設けず密閉部材２６０の固定位置以外を突き当て部２０７ｂとする形状であっても構わない。また、図７（ｂ）で示すような突き当て部２０７ａあるいは２０７ｂが三角形状等の多角形状や図７（ｃ）で示すような円形形状等であっても構わない。さらに、図７（ｄ）で示すような密閉部材２６０の両側ではない片側のみに突き当て部２０７ａあるいは２０７ｂを設けても構わない。
【００４３】
図８は、第１の実施形態における排紙部５８及びシート反転部５９近傍の断面模式図である。
【００４４】
ヘルムホルツ部材２００ａは再搬送パスガイド１０７ａ（以下、ガイド１０７ａ）に、ヘルムホルツ部材２００ｂは再搬送ガイドカバー７０（以下、ガイドカバー７０）にそれぞれ接着剤で固定され、各々の突き当て部２０７ａ、２０７ｂを接触させる形で固定される。連通部２０２ａ、２０２ｂは排紙部５８側を向いている。なお、ガイド１０７ａ、ガイドカバー７０への取り付け方はこれに限ったものではなく、例えば、両面テープで取り付けられたり、はめ込むことにより取り付けられたりしても構わない。
【００４５】
図９（ａ）、図９（ｂ）は、第１の実施形態における排紙部５８及びシート反転部５９の近傍部位の開閉を表した斜視図である。図９（ａ）に示すように右面開閉扉９２は紙詰まりの処理のため、右面開閉扉ヒンジ部９３により開閉可能である。また、再搬送パス１０７ｂは右面開閉扉９２に固定されている。また、図９（ｂ）に示すようにガイド１０７ａ及びガイドカバー７０も再搬送パス１０７ｂと同方向に開閉可能である。ガイドカバー７０は、記録媒体後処理部９０の紙詰まりの処理のために、再搬送ガイドカバーヒンジ部７１ａ、７１ｂ（図１ａ参照）を中心に回動可能となっている。さらに、右面開閉扉９２を閉めると固定手段の一例であるロック爪９７を用いたロック機構により右面開閉扉９２は本体に固定され、ガイドカバー７０及びガイド１０７ａも閉じた状態に固定される。右面開閉扉９２を閉じることで、ガイド１０７ａを装置本体１００Ａに対して閉じた位置に固定され、後述するようにヘルムホルツ部材２００ａとヘルムホルツ部材２００ｂとによりヘルムホルツ共鳴器２００が構成される。このように、右面開閉扉９２を装置本体１００Ａに対して閉じ状態にするためのロック機構を利用してヘルムホルツ共鳴器２００を構成している。そのため、２部品を有するヘルムホルツ共鳴器２００を固定するための専用の締結部材が必要なくなる。
【００４６】
図１（ａ）は図９（ｂ）のヘルムホルツ部材２００ａ、２００ｂ及びその近傍の開閉部材及び対向部材の一例であるガイドカバー７０、ガイド１０７ａを拡大した図である。ガイドカバー７０は再搬送ガイドカバーヒンジ部７１ａ、７１ｂを中心に開閉する。また、ガイド１０７ａは再搬送パスヒンジ部１１１ａ、１１１ｂを中心に開閉する。ガイドカバー７０、ガイド１０７ａを回動させることにより、シートの搬送路を外部に露出させ、ユーザーがシート搬送路にアクセスし装置本体１００Ａの内部に残ったシートを処理しやすくすることができる。ガイドカバー７０が閉じた状態でガイド１０７ａを図１（ａ）の矢印方向に閉じて固定した時、図１（ｂ）に示すようにヘルムホルツ部材２００ａ、２００ｂが各々押し当てられる。その時、左位置決め部２０８、右位置決め部２０９が左位置決め穴２１０、右位置決め穴２１１に各々差し込まれ、突き当て部２０７ａ、２０７ｂが接触し、ヘルムホルツ共鳴器２００が構成される。図１（ｃ）は、図１（ａ）の左側から見た側面図である。図１（ｃ）に示すように再搬送パスヒンジ部１１１ａは再搬送ガイドカバーヒンジ部７１ａよりも上下方向（Ｚ方向）において高さが低い。図１０（ａ）は再搬送パスヒンジ部１１１ａの高さが再搬送ガイドカバーヒンジ部７１ａよりも低い場合、図１０（ｂ）は高さが同一の場合のガイドカバー７０とガイド１０７ａの回動の様子を示す。図９（ｂ）のようにガイドカバー７０とガイド１０７ａ、１０７ｂが開く時、図１０（ａ）は、図１０（ｂ）よりもヘルムホルツ部材２００ａがヘルムホルツ部材２００ｂよりも低い位置で回動する。そのため、図１０（ａ）の構成では、ヘルムホルツ部材２００ａとヘルムホルツ部材２００ｂとが干渉せず十分に回動する。図１０（ｂ）の構成では、ヘルムホルツ部材２００ａとヘルムホルツ部材２００ｂとが、回動途中に干渉するため、ガイドカバー７０の回動量が、図１０（ａ）の構成と比較して小さくなっている。即ち、再搬送パスヒンジ部１１１ａが再搬送ガイドカバーヒンジ部７１ａとの位置を変えることにより、ガイドカバー７０の回動量を大きくすることができる。ヘルムホルツ共鳴器２００は、消音対象の周波数が低くなるほど、空洞部２０１ａ、２０１ｂを大きく構成する必要がある。空洞部２０１ａ、２０１ｂが大きくなったとしても、再搬送パスヒンジ部１１１ａが再搬送ガイドカバーヒンジ部７１ａと異なる位置に配置されることにより、記録媒体後処理部９０の紙詰まりの処理の邪魔にならなくなる。図１１（ａ）はヘルムホルツ共鳴器２００が２部品に分割された本実施形態の構成の側面図である。図１１（ｂ）は、ヘルムホルツ共鳴器２００が分割されず一体でガイドカバー７０に設けられた構成、図１１（ｃ）はヘルムホルツ共鳴器２００が分割されず一体でガイド１０７ａに設けられた構成の側面図である。図１１（ｂ）の構成は、ガイドカバー７０に設けられたヘルムホルツ共鳴器２００が、ガイド１０７ａに干渉するためガイドカバー７０の回動量が小さくなっている。一方、図１１（ａ）の構成は、図１１（ｂ）の構成と比較して下方部にヘルムホルツ共鳴器２００が回動するスペースを必要とせず、ガイド１０７ａにも干渉しにくいため、ガイドカバー７０が十分に回動する。
【００４７】
図１１（ｃ）の構成は、ガイド１０７ａに設けられたヘルムホルツ共鳴器２００が、ガイドカバー７０に干渉するためガイドカバー７０の回動量が小さくなっている。同様に、図１１（ａ）の構成は、図１１（ｃ）の構成と比較して、ガイドカバー７０の回動時にヘルムホルツ共鳴器２００に干渉しにくいため、ガイドカバー７０は、十分に回動する。つまり、ヘルムホルツ部材２００ａ、２００ｂに分け、ガイドカバー７０、ガイド１０７ａに各々固定することで、一体でヘルムホルツ共鳴器２００を構成し固定するよりも、ガイドカバー７０、ガイド１０７ａの回動量が大きくなる。そのため、記録媒体後処理部９０の紙詰まりの処理が容易になる。
【００４８】
本実施形態の構成は排紙部５８及びシート反転部５９近傍の開閉部位への適用に限ったものでなく、紙搬送等の機能を阻害する位置でなければどの開閉部位に適用しても構わない。例えば図１２（ａ）に示すように画像形成部の一つである現像ローラ２４にトナーを供給するトナーボトル５０にアクセスするための前面開閉カバー８０の開閉部位に適用してもよい。図１２（ａ）では前面内部カバー８２のトナーボトル５０ｙ、５０ｍ、５０ｃ、５０ｋの下方位置にヘルムホルツ部材２００ｂを接着剤で固定している。また、ヘルムホルツ部材２００ａは、前面開閉カバー８０内側位置に接着剤で固定されている。前面開閉カバー８０が前面開閉カバーヒンジ部１３０ａ、１３０ｂ、１３０ｃを回動中心として本体に対して閉じ、ロック部１０１によりロックされた際、ヘルムホルツ部材２００ａとヘルムホルツ部材２００ｂとが合わさりヘルムホルツ共鳴器２００が構成される。また、図１２（ｂ）に示すように手差しトレイ９４の開閉部位に適用してもよい。図１２（ｂ）では右面内部カバー９６にヘルムホルツ部材２００ｂを接着剤で固定している。手差しトレイ９４は手差しトレイヒンジ部１３１ａ、１３１ｂを中心として開閉し、開く際にはフック１３２ａ、１３２ｂにより開き位置が固定される。また、ヘルムホルツ部材２００ａは、手差しトレイ９４が閉じる際にヘルムホルツ部材２００ｂと合わさりヘルムホルツ共鳴器２００を構成できるように、手差しトレイ９４内側位置に接着剤で固定している。手差しトレイ９４が、不図示のロック部材で本体に対して閉じた位置で固定されると、ヘルムホルツ部材２００ａとヘルムホルツ部材２００ｂとが合わさりヘルムホルツ共鳴器２００を構成できるようになっている。さらに、図１２（ｃ）に示すように手差しトレイ９４下方部の右面下方開閉扉９５の開閉部位に適用してもよい。図１２（ｃ）では紙搬送機能を阻害しない位置である右面下方内部カバー１０２の給紙引き抜きローラ９８ａ、９８ｂ、９９ａ、９９ｂの下方に、ヘルムホルツ部材２００ｂを接着剤で固定している。右面下方開閉扉９５は右面下方開閉扉ヒンジ部１３３ａと図示しない右面下方開閉扉ヒンジ部１３３ｂを中心に開閉する。また、ヘルムホルツ部材２００ａは右面下方開閉扉９５が閉じる際にヘルムホルツ部材２００ｂと合わさりヘルムホルツ共鳴器２００を構成できるように、右面下方開閉扉９５内側位置に接着剤で固定している。右面下方開閉扉９５が不図示のロック部材で本体に対して閉じた位置に固定されると、ヘルムホルツ部材２００ａとヘルムホルツ部材２００ｂとが合わさりヘルムホルツ共鳴器２００を構成できるようになっている。
【００４９】
本実施形態の構成においては、従来と異なりヘルムホルツ共鳴器専用の締結部品を用いることなくヘルムホルツ共鳴器２００を構成することができ、コストを増加することなく画像形成装置から発生する騒音を抑制できる。
【００５０】
［第２の実施形態］
次に、本発明の第２の実施形態について図１３を用いて説明する。尚、本第２の実施の形態の説明にあたっては、前述の第１の実施の形態との差異部分のみを説明し、同一要素には同一符号を付すと共にその説明を省略する。
【００５１】
図１３に本実施例のヘルムホルツ共鳴器３００の一例を示す。ヘルムホルツ共鳴器３００は、第１のヘルムホルツ部の一例であるヘルムホルツ部材３００ａと第２のヘルムホルツ部の一例であるヘルムホルツ部材３００ｂとの２部品を含む。
【００５２】
第２の実施形態が第１の実施形態と異なる点は密閉部材３６０ａ、３６０ｂの構成である。ヘルムホルツ共鳴器３００構成時のヘルムホルツ部材３００ａ、３００ｂの接触部位において、密閉部材３６０ａ、３６０ｂと分かれており、その隙間に押し当て部３０６が差し込まれている。その結果、差し込んだ押し当て部３０６が密閉部材３６０ａ、３６０ｂに挟持されるように力が働き、密閉部材３６０ａ、３６０ｂ間に働く摩擦力により一度押し込んだ押し当て部３０６が抜けにくくなる。なお、図１３において突き当て部３０７ａ、３０７ｂとなっているがこれに限ったものではなく、押し当て部３０６自体を突き当て部３０７ａとしてヘルムホルツ部材３００ｂとの接触位置を突き当て部とみなしてもよい。これにより、本実施例のヘルムホルツ共鳴器３００によれば、一度構成した後は空洞部３０１の容積が変動しにくくなり、消音対象となる特定周波数をずれなくすることができる。
【００５３】
［第３の実施形態］
次に、本発明の第３の実施形態について説明する。尚、本第３の実施の形態の説明にあたっては、前述の第１及び第２の実施の形態との差異部分のみを説明し、同一要素には同一符号を付すと共にその説明を省略する。
【００５４】
図１４（ａ）、（ｂ）に本実施の形態におけるヘルムホルツ共鳴器４００の一例を示す。ヘルムホルツ共鳴器４００は、第１のヘルムホルツ部の一例であるヘルムホルツ部材４００ａと第２のヘルムホルツ部の一例であるヘルムホルツ部材４００ｂとの２部品を含む。
【００５５】
前述の第１及び第２の実施の形態におけるヘルムホルツ共鳴器２００、３００との差異は、ヘルムホルツ部材４００ａ、４００ｂを開閉部材等の取り付け樹脂部材に接着剤等で固定するのではなく、一体的に成形している点である。本実施形態のヘルムホルツ共鳴器４００では、ヘルムホルツ部材４００ａ、４００ｂを別途作成せずに部品点数を減らしてヘルムホルツ共鳴器４００を構成することができ、コストを増加することなく画像形成装置から発生する騒音を抑制できる。
【００５６】
［実施の形態における補足事項］
本発明は、上述の実施形態で説明したヘルムホルツ共鳴器構成（連通部形状や空洞部形状など）に限定されるものではない。以上の第１乃至第３の実施形態を説明したヘルムホルツ共鳴器は、連通部が円筒状の中空管を用いた場合の説明を行っているが、本発明は円筒状中空管に限定されるものではない。他の断面形状を有する中空管であってもよく、同様の効果を奏する。また、上述の実施形態を説明したヘルムホルツ共鳴器は、空洞部が一部に穴の空いた直方体シェル形状を用いた場合の説明を行っているが、本発明は直方体シェル形状に限定されるものではなく、他の形状を有する空洞部であってもよく、同様の効果を奏する。また、ヘルムホルツ共鳴器を構成するための２部品の少なくとも一方を、回動する部材に設けた例で説明したがこれに限定されるものではない。ヘルムホルツ共鳴器を構成するための２部品の少なくとも一方をスライド移動するドア等のユニットに設け、当該ユニットを本体に対して閉じた場合に、ヘルムホルツ共鳴器が構成されるようにしても良い。
【符号の説明】
【００５７】
７０  再搬送ガイドカバー
７１  再搬送ガイドカバーヒンジ部
８０  前面開閉カバー
１１１  再搬送パスヒンジ部
１３０  前面開閉カバーヒンジ部
１３１  手差しトレイヒンジ部
１３２  フック
１３３  右面下方開閉扉ヒンジ部
２００  ヘルムホルツ共鳴器
２００ａ、２００ｂ  ヘルムホルツ部材
２０１  空洞部
２０２  連通部
２０６  押し当て部
２０７  突き当て部
２６０  密閉部材
３００  ヘルムホルツ共鳴器
３００ａ、３００ｂ  ヘルムホルツ部材
３０１  空洞部
３０６  押し当て部
３０７  突き当て部
３６０  密閉部材
４００  ヘルムホルツ共鳴器
４００ａ、４００ｂ  ヘルムホルツ部材
４１１  再搬送パスヒンジ部
４７１  再搬送ガイドカバーヒンジ部
【図１】
2019086633.tif 000004
【図２】
2019086633.tif 000005
【図３】
2019086633.tif 000006
【図４】
2019086633.tif 000007
【図５】
2019086633.tif 000008
【図６】
2019086633.tif 000009
【図７】
2019086633.tif 000010
【図８】
2019086633.tif 000011
【図９】
2019086633.tif 000012
【図１０】
2019086633.tif 000013
【図１１】
2019086633.tif 000014
【図１２】
2019086633.tif 000015
【図１３】
2019086633.tif 000016
【図１４】
2019086633.tif 000017
【図１５】
2019086633.tif 000018